(57)【要約】【課題】従来の実体的な単機能のボタンをフレームに有する情報処理装置は、直感的に操作できるものの、ボタン一つに対して一機能の割り当てしかできなかった。また、従来のメニュー画面で各種機能を実行する情報処理装置は、直感的な操作ができなかった。さらに、タッチパネルをディスプレイに具備する情報処理装置は、操作性は高いが、画面が汚れて、使用すればするほど、データ等が見にくくなり、かる操作する場合に、見たいデータ等が自分の腕等で隠れてしまう、という課題があった。【解決手段】フレームにタッチセンサを有し、当該タッチセンサがタッチを受け付けることにより動作する情報処理装置により、画面を汚すことなく、直感的でかつ多種類の操作が可能である。【選択図】  図１
2004213451.tif 000002
【特許請求の範囲】
【請求項１】
フレームにタッチセンサを有し、当該タッチセンサがタッチを受け付けることにより動作する情報処理装置。
【請求項２】
前記タッチセンサは、前記フレームの一部に有する請求項１記載の情報処理装置。
【請求項３】
前記フレームが溝を形成し、当該溝の部分にタッチセンサを有する請求項１または請求項２いずれか記載の情報処理装置。
【請求項４】
前記溝の幅は、約１０ｍｍから約１５ｍｍである請求項３記載の情報処理装置。
【請求項５】
前記溝の幅は、約１１ｍｍである請求項３記載の情報処理装置。
【請求項６】
前記情報処理装置は、テレビを受信し、出力するテレビ手段を具備する請求項１から請求項５いずれか記載の情報処理装置。
【請求項７】
前記情報処理装置は、複数の機能を実行することができる請求項１から請求項６いずれか記載の情報処理装置。
【請求項８】
タッチセンサの同一領域において、同一の動作を行っても、実行中の機能により、その動作が異なる請求項７記載の情報処理装置。
【請求項９】
前記フレームが有するタッチセンサのうち、右側面の下側のタッチセンサのタッチを受け付け、チャンネルを切り替える請求項６記載の情報処理装置。
【請求項１０】
前記フレームが有するタッチセンサのうち、右側面の下側のタッチセンサのタッチを受け付け、当該最初のタッチにより、チャンネル番号を表示し、タッチする位置を上下にずらしたことを認知した場合に、前記表示しているャンネル番号を連続的に変化させ、タッチがなくなったことを認知した場合に、前記表示されているチャンネル番号のチャンネルに切り替える請求項９記載の情報処理装置。
【請求項１１】
スクロールさせる必要性のあるコンテンツを表示している場合に、右側面の下側のタッチセンサを上下にずらすタッチを受け付け、当該上下にずらすタッチにより、表示しているコンテンツを上下にスクロールして表示し、下面の右側のタッチセンサを左右にずらすタッチを受け付け、当該左右にずらすタッチにより、表示しているコンテンツを左右にスクロールして表示する請求項７から請求項９いずれか記載の情報処理装置。
【請求項１２】
前記フレームが有するタッチセンサのうち、左側面の上側のタッチセンサのタッチを受け付け、当該タッチにより初期設定または／および機能設定のメニューを表示する請求項６から請求項９いずれか記載の情報処理装置。
【請求項１３】
前記フレームが有するタッチセンサのうち、左側面の上側のタッチセンサのタッチを受け付け、当該タッチにより初期設定または／および機能設定の項目を選択する請求項１２記載の情報処理装置。
【請求項１４】
請求項１から請求項１３いずれか記載の情報処理装置を構成するタッチセンサを有するフレーム。
【発明の詳細な説明】
【０００１】
【発明の属する技術分野】
本発明は、データを受信して記録できるデータ記録装置等に関する。
【０００２】
【従来の技術】
従来、電源のオン／オフを行うボタンや、音量を調節する実体的な単機能のボタンをフレームに有するテレビジョンなどの情報処理装置が存在している。
【０００３】
また、メニュー画面で各種機能を実行する情報処理装置も存在する。
【０００４】
さらに、タッチパネルをディスプレイに具備する情報処理装置も存在する（特許文献１参照）。
【０００５】
【特許文献１】
特開２００２−３５１６１７号公報（第１頁、第１図等）
【０００６】
【発明が解決しようとする課題】
しかし、上記従来の実体的な単機能のボタンをフレームに有する情報処理装置は、直感的に操作できるものの、ボタン一つに対して一機能の割り当てしかできなかった。
【０００７】
また、上記従来のメニュー画面で各種機能を実行する情報処理装置は、直感的な操作ができなかった。
【０００８】
さらに、タッチパネルをディスプレイに具備する情報処理装置は、操作性は高いが、画面が汚れて、使用すればするほど、データ等が見にくくなり、かる操作する場合に、見たいデータ等が自分の腕等で隠れてしまう、という課題があった。
【０００９】
【課題を解決するための手段】
そこで、第一の発明は、フレームにタッチセンサを有し、当該タッチセンサがタッチを受け付けることにより動作する情報処理装置であり、かかる情報処理装置により、画面を汚すことなく、直感的でかつ多種類の操作が可能である。
【００１０】
また、第二の発明は、フレームが溝を形成し、当該溝の部分にタッチセンサを有することにより、ユーザの指のスライドを誘導でき、操作性が向上する。かかる構造は、一次元的な量の調整を行うテレビやコンピュータのインターフェイスとして特に有効である。一次元的な量の調整とは、ボリュームの調整、チャンネルの調整、画面スクロールなどである。
【００１１】
また、第三の発明は、タッチセンサの同一領域において、同一の動作を行っても、実行中の機能により、その動作が異なる情報処理装置であり、かかる情報処理装置により、多種類の操作が直感的にできる。
【００１２】
さらに、第四の発明は、使用頻度を考慮して、領域と機能を対応付けることにより、狭いながらも広範囲に広がったフレームの構造を有効に利用した操作が可能である。
【００１３】
【発明の実施の形態】
以下、情報処理装置の実施形態について図面を参照して説明する。なお、実施の形態において同じ符号を付した構成要素は同様の動作を行うので、再度の説明を省略する場合がある。
【００１４】
図１は、情報処理装置の外観を示す図である。情報処理装置はディスプレイ１０１、フレーム１０２を具備する。フレーム１０２には、タッチセンサが設置されている。また、フレーム１０２は、中央が凹んだ形状であり、いわゆる溝１０３を有する。
【００１５】
また、タッチセンサは、溝１０３の部分には少なくとも設置されている。ユーザは、溝１０３の部分のタッチセンサをタッチすることにより、情報処理装置を操作できる。溝１０３により、タッチセンサをタッチするように容易に誘導できる。
【００１６】
ディスプレイ１０１は、液晶やプラズマや有機ＥＬなどの薄型のデバイスで実現されることが好ましい。
【００１７】
また、フレーム１０２はディスプレイ１０１の四方（上、下、左、右）の外側に存在する。また、タッチセンサは、フレーム１０２の三方（左、右、下）に設置されている。特に、情報処理装置が多数の機能を有する場合、種々の操作を、タッチセンサをタッチすることにより行うことが必要であるために、タッチセンサは広範囲に存在することが好都合である。しかし、フレーム１０２の上面にタッチセンサが存在する場合、ユーザが上面のタッチセンサをタッチするときは、ユーザ自身または第三者にとって、ディスプレイが極めて見えにくい、という不都合がある。したがって、タッチセンサは、フレーム１０２の三方（左、右、下）に設置されていることが好ましい。なお、タッチセンサの種類は問わない。
【００１８】
また、フレーム１０２の溝１０３の幅は、人間の指を上下、左右に容易に動かせ、かつ、上下、左右に指を動かす操作を誘導できる幅であることが好ましい。具体的には、溝の幅は、約１０ｍｍから約１５ｍｍであることが好適である。溝の幅は、約１１ｍｍであることがさらに好適である。人間の人差し指の先の幅と、概ね合致するからである。
【００１９】
図２は、情報処理装置のブロック図である。情報処理装置は、操作受付部２０１、操作解釈部２０２、番組受信部２０３、番組出力部２０４、電源切替部２０５、音量設定部２０６、チャンネル切替部２０７、メニュー情報格納部２０８、メニュー表示部２０９、機能選択部２１０、情報設定部２１１、データ入力受付部２１２、データ送信部２１３、サーバアクセス部２１４、データ格納部２１５、データ出力部２１６、画面スクロール部２１７を具備する。
【００２０】
操作受付部２０１は、タッチセンサのタッチによる操作を受け付ける。操作受付部２０１は、タッチセンサおよびタッチセンサのデータを取得するドライバーソフト等で実現されえる。
【００２１】
操作解釈部２０２は、操作受付部２０１が受け付けた操作を解釈して、次の動作を決定する。
【００２２】
番組受信部２０３は、放送により番組を受信する。放送とは、デジタル衛星放送、デジタル／アナログの地上波放送、ＣＡＴＶ、インターネット放送等、問わない。番組受信部２０３は、設定されているチャンネル番号にチューナーを合わせて、番組を受信する。番組受信部２０３は、例えば、チューナーとそのドライバーソフトで実現され得る。
【００２３】
番組出力部２０４は、番組受信部２０３が受信した番組を出力する。この出力は、通常、ディスプレイ１０１への出力とスピーカー（図示しない）への音声出力を含む。ただし、出力とは、プリンタへの印字も含む概念である。
【００２４】
電源切替部２０５は、電源のオン、オフを切り替える。
【００２５】
音量設定部２０６は、出力するボリュームを決定する。音量設定部２０６が決定した音量で音が出力される。
【００２６】
チャンネル切替部２０７は、チャンネルを切り替える。
【００２７】
メニュー情報格納部２０８は、メニューを構成する情報であるメニュー情報を１以上格納している。メニュー情報は、例えば、ＨＴＭＬで記述されている。ただし、メニュー情報の構造や記述言語は問わない。メニュー情報格納部２０８は、不揮発性の記録媒体が好適であるが、揮発性の記録媒体でも実現可能である。
【００２８】
メニュー表示部２０９は、メニュー情報格納部２０８のメニュー情報からメニューを構成し、ディスプレイ１０１に表示する。メニュー表示部２０９は、通常、ＭＰＵやメモリ等から実現され得る。メニュー表示部２０９がメニュー情報を取得し、表示するための処理手順は、通常、ソフトウェアで実現され、当該ソフトウェアはＲＯＭ等の記録媒体に記録されている。但し、ハードウェア（専用回路）で実現しても良い。
【００２９】
機能選択部２１０は、情報処理装置で実行される機能（アプリケーション）を決定し、当該機能を実行する（アプリケーションを立ち上げる）。機能選択部２１０は、通常、ＭＰＵやメモリ等から実現され得る。機能選択部２１０が機能を実行するための処理手順は、通常、ソフトウェアで実現され、当該ソフトウェアはＲＯＭ等の記録媒体に記録されている。但し、ハードウェア（専用回路）で実現しても良い。
【００３０】
情報設定部２１１は、各種の情報の設定を行う。この情報は、通常、ユーザから入力された情報である。情報とは、例えば、地域ごとのチャンネル設定情報や、インターネットや電子メールのための初期情報である。
【００３１】
データ入力受付部２１２は、ユーザからのデータ入力を受け付ける。データの入力手段は、テンキーやキーボード（ワイヤレスのものも含む）やマウスやメニュー画面によるもの等、何でも良い。データ入力受付部２１２は、テンキーやキーボード等の入力手段のデバイスドライバーや、メニュー画面の制御ソフトウェア等で実現され得る。入力されるデータは、電子メールの情報や送信先のメールアドレスや、インターネットのＵＲＬや、電子メールの送信指示などである。
【００３２】
データ送信部２１３は、データ入力受付部２１２が受け付けたデータを外部に送信する。このデータ送信部２１３により、後述する電子メール機能が実現され得る。データ送信部２１３は、通信手段と電子メールを実現するソフトウェア等で実現され得る。
【００３３】
サーバアクセス部２１４は、データ入力受付部２１２が受け付けたサーバ装置識別子により識別されるサーバ装置にアクセスし、データを取得する。サーバ装置識別子とは、例えば、ＵＲＬやＩＰアドレス等である。サーバアクセス部２１４により、後述するインターネット機能が実現され得る。サーバアクセス部２１４は、通信手段とインターネットブラウザ等で実現され得る。
【００３４】
データ格納部２１５は、データを格納している。データ格納部２１５は、不揮発性の記録媒体が好適であるが、揮発性の記録媒体でも実現可能である。
【００３５】
データ出力部２１６は、データ格納部２１５のデータやサーバアクセス部２１４が取得したデータを出力する。この出力とは、ディスプレイ１０１への表示をいうが、音出力も含む概念である。データ出力部２１６は、ディスプレイのドライバーソフト等で実現され得る。
【００３６】
画面スクロール部２１７は、表示しているデータを上下または／および左右にスクロールする。画面スクロール部２１７は、通常、ＭＰＵやメモリ等から実現され得る。画面スクロール部２１７の処理手順は、通常、ソフトウェアで実現され、当該ソフトウェアはＲＯＭ等の記録媒体に記録されている。但し、ハードウェア（専用回路）で実現しても良い。
【００３７】
以下、本情報処理装置の動作について図３のフローチャートを用いて説明する。
【００３８】
（ステップＳ３０１）操作受付部２０１は、タッチセンサのタッチによる操作を受け付けたか否かを判断する。操作を受け付ければステップＳ３０２に行き、操作を受け付けなければステップＳ３２９に飛ぶ。
【００３９】
（ステップＳ３０２）操作解釈部２０２は、操作受付部２０１が受け付けた操作（タッチセンサのタッチ）を解釈する。タッチセンサのタッチを解釈する方法は、例えば、以下の方法である。タッチセンサのタッチを常時、監視している。そして、タッチセンサがタッチされた場合に、その位置座標を取得する。そして、一の位置座標または位置座標の時系列データから操作の内容を解釈する。また、操作の内容は、現在、ディスプレイ１０１に表示されている機能（アプリケーション）によって異なる場合がある。その具体例は、後述する。
【００４０】
（ステップＳ３０３）操作解釈部２０２は、ステップＳ３０２で解釈した結果が、メニュー呼び出しの指示であるか否かを判断する。メニュー呼び出しの指示であればステップＳ３０４に行き、メニュー呼び出しの指示でなければステップＳ３０６に飛ぶ。
【００４１】
（ステップＳ３０４）メニュー表示部２０９は、指示に対応するメニュー情報をメニュー情報格納部２０８から取得する。
【００４２】
（ステップＳ３０５）メニュー表示部２０９は、ステップＳ３０４で取得したメニュー情報に基づいて操作メニューを表示する。ステップＳ３０１に戻る。メニュー表示部２０９は、メニュー情報格納部２０８に複数のメニュー情報が存在する場合は、通常、取得した位置座標に対応するメニューを表示する。
【００４３】
（ステップＳ３０６）操作解釈部２０２は、ステップＳ３０２で解釈した結果が、メニュー項目の選択であるか否かを判断する。メニュー項目の選択であればステップＳ３０７に行き、メニュー項目の選択でなければステップＳ３１１に飛ぶ。
【００４４】
（ステップＳ３０７）操作解釈部２０２は、ステップＳ３０２で解釈した結果が、機能を選択する指示であるか否かを判断する。機能の選択とは、例えば、テレビ機能、電子メール機能、インターネット機能、電子アルバム機能などの機能選択を言う。機能の選択とは、言い換えれば、アプリケーションの選択である。
【００４５】
（ステップＳ３０８）機能選択部２１０は、ステップＳ３０７で選択した機能（アプリケーション）に切り替える（立ち上げる）。ステップＳ３０１に戻る。
【００４６】
（ステップＳ３０９）操作解釈部２０２は、ステップＳ３０２で解釈した結果が、設定項目を選択する指示であるか否かを判断する。設定項目を選択する指示であればステップＳ３１０に行き、設定項目を選択する指示でなければステップＳ３０１に戻る。
【００４７】
（ステップＳ３１０）情報設定ルーチンを実行する。情報設定ルーチンは、例えば、地域に対応するテレビのチャンネル設定や、インターネットのプロバイダー設定や、電子メールの各種設定を行うルーチンである。かかる設定は、従来技術であるので、詳細な説明は省略する。ステップＳ３０１に戻る。
【００４８】
（ステップＳ３１１）操作解釈部２０２は、ステップＳ３０２で解釈した結果が、音量調節の指示であるか否かを判断する。
【００４９】
（ステップＳ３１２）音量設定部２０６は、設定する音量の値を決定する。音量設定部２０６は、受け付けた操作に基づいて、設定する音量を決定する。詳細は、後述する。
【００５０】
（ステップＳ３１３）音量設定部２０６は、ステップＳ３１２で決定した音量の値を設定する。音量の値の設定により、スピーカーから出力される音の大きさが変化する。ステップＳ３０１に戻る。
【００５１】
（ステップＳ３１４）操作解釈部２０２は、ステップＳ３０２で解釈した結果が、電源のオン／オフの切り替えの指示であるか否かを判断する。電源のオン／オフの切り替えの指示であればステップＳ３１５に行き、電源のオン／オフの切り替えの指示でなければステップＳ３１８に飛ぶ。
【００５２】
（ステップＳ３１５）電源切替部２０５は、現在の状態が電源オンの状態であるか否かを判断する。電源オンの状態であればステップＳ３１６に行き、電源オンの状態でなければステップＳ３１７に飛ぶ。
【００５３】
（ステップＳ３１６）電源切替部２０５は、電源をオフにする。
【００５４】
（ステップＳ３１７）電源切替部２０５は、電源をオンにする。ステップＳ３０１に戻る。
【００５５】
（ステップＳ３１８）操作解釈部２０２は、ステップＳ３０２で解釈した結果が、チャンネルの切り替えの指示であるか否かを判断する。
【００５６】
（ステップＳ３１９）チャンネル切替部２０７は、受け付けた操作に基づいてチャンネルを切り替える。受け付けた操作に基づいてチャンネルを切り替える動作の詳細は、後述する。ステップＳ３０１に戻る。
【００５７】
（ステップＳ３２０）操作解釈部２０２は、ステップＳ３０２で解釈した結果が、画面スクロールの指示であるか否かを判断する。
【００５８】
（ステップＳ３２１）画面スクロール部２１７は、受け付けた操作が上にスクロールをする指示であるか否かを判断する。上にスクロールをする指示であればステップＳ３２２に行き、上にスクロールをする指示でなければステップＳ３２３に飛ぶ。
【００５９】
（ステップＳ３２２）画面スクロール部２１７は、表示しているデータを上にスクロールする。上にスクロールする幅（大きさ）は、タッチセンサにより取得した位置座標の時系列データにより決まってくる。具体的には、ユーザの指でなぞる距離が大きいほど、大きく上にスクロールする。下、右、左へのスクロールも同様である。ステップＳ３０１に戻る。
【００６０】
（ステップＳ３２３）画面スクロール部２１７は、受け付けた操作が下にスクロールをする指示であるか否かを判断する。下にスクロールをする指示であればステップＳ３２４に行き、下にスクロールをする指示でなければステップＳ３２５に飛ぶ。
【００６１】
（ステップＳ３２４）画面スクロール部２１７は、表示しているデータを下にスクロールする。ステップＳ３０１に戻る。
【００６２】
（ステップＳ３２５）画面スクロール部２１７は、受け付けた操作が左にスクロールをする指示であるか否かを判断する。左にスクロールをする指示であればステップＳ３２６に行き、左にスクロールをする指示でなければステップＳ３２７に飛ぶ。
【００６３】
（ステップＳ３２６）画面スクロール部２１７は、表示しているデータを左にスクロールする。ステップＳ３０１に戻る。
【００６４】
（ステップＳ３２７）画面スクロール部２１７は、受け付けた操作が右にスクロールをする指示であるか否かを判断する。右にスクロールをする指示であればステップＳ３２８に行き、右にスクロールをする指示でなければステップＳ３０１に戻る。
【００６５】
（ステップＳ３２８）画面スクロール部２１７は、表示しているデータを右にスクロールする。ステップＳ３０１に戻る。
【００６６】
（ステップＳ３２９）データ入力受付部２１２は、データ入力を受け付けたか否かを判断する。データ入力を受け付ければステップＳ３３０に行き、データ入力を受け付けなければステップＳ３０１に戻る。
【００６７】
（ステップＳ３３０）データ送信部２１３は、ステップＳ３２９で受け付けたデータが、メール送信を指示するデータであるか否かを判断する。メール送信を指示するデータであればステップＳ３３１に行き、メール送信を指示するデータでなければステップＳ３３２に飛ぶ。
【００６８】
（ステップＳ３３１）データ送信部２１３は、電子メールを送信する。送信する電子メールのデータ、および送信先は、ステップＳ３２９で受け付けたデータ、言い換えれば、ステップＳ３３５でバッファに入れたデータにより構成される。ステップＳ３０１に戻る。
【００６９】
（ステップＳ３３２）データ送信部２１３は、ステップＳ３２９で受け付けたデータが、サーバアクセを指示するデータであるか否かを判断する。サーバアクセを指示するデータであればステップＳ３３３に行き、サーバアクセを指示するデータでなければステップＳ３３５に飛ぶ。
【００７０】
（ステップＳ３３３）サーバアクセス部２１４は、指定されたサーバ装置からデータを取得する。例えば、ＵＲＬが指定され、当該ＵＲＬで識別されるホームページのデータを、サーバアクセス部２１４は取得する。
【００７１】
（ステップＳ３３４）サーバアクセス部２１４は、ステップＳ３３２で取得したデータを出力する。ステップＳ３０１に戻る。
【００７２】
（ステップＳ３３５）データをバッファに入れる（記憶する）。ステップＳ３０１に戻る。
【００７３】
なお、図３のフローチャートにおいて、電源オフや処理終了の割り込みにより処理は終了する。
【００７４】
以下、本実施の形態における情報処理装置の具体的な動作について説明する。今、図４に示すように、タッチセンサが画面の周りのフレームに設置されている。特に、タッチセンサは、フレームの溝の箇所に設置されている。ユーザは、人差し指または、親指で溝にあるタッチセンサにタッチする。親指で溝にあるタッチセンサにタッチする場合には、他の指で情報処理装置の筐体を掴む形態で操作することになり、安定して操作できる。また、情報処理装置は、テレビ機能、インターネット機能、電子メール機能、電子アルバム機能などを有する。
【００７５】
そして、情報処理装置は、図４に示す各領域をタッチ、または操作された場合に、図４に示す動作を行う。なお、操作とは、通常、溝に沿って指をスライドする操作である。具体的には、情報処理装置は、（１）の領域のタッチを検知した場合、初期設定メニュー／機能設定メニューを呼び出す。初期設定メニュー／機能設定メニューとは、初期設定および機能設定を行う操作メニューである。初期設定メニュー／機能設定メニューを構成するメニュー情報は、予め情報処理装置に格納されている。また、情報処理装置は、タッチされる位置とメニュー情報を関連付けて管理している。初期設定のメニューとは、テレビのチャンネル設定のメニュー、インターネットの通信機能設定メニューなどがある。機能設定のメニューは、テレビの自動電源オフ機能の設定や、電子メールのバッファに格納できる電子メール数の設定などである。その他、種々の情報の設定が、初期設定のメニュー、機能設定のメニューで行われ得る。初期設定のメニュー、機能設定のメニューを用いて、各種のデータを設定する処理は、公知技術であるので詳細な説明を省略する。情報処理装置は、（１）の領域がタッチされたか否かは、タッチセンサが取得する位置座標により判断する。さらに、情報処理装置は、（１）の領域のタッチを検知した場合、図５に示す操作メニュー５０１を表示する。
【００７６】
また、情報処理装置は、図５の操作メニュー５０１が表示されている状態において、図４の（２）の領域のタッチを検知した場合、初期設定／機能設定メニューの中の対応するメニュー項目を選択する。つまり、図５に示すようにタッチセンサの部分を指でスライドさせると、指の移動に対応して操作メニュー５０１のフォーカスが移動し、指を離した位置の横のメニュー項目が選択される。したがって、ディスプレイを汚すことなく、ユーザにとって非常に直感的に操作ができる。なお、図５の操作メニュー５０１が表示されている状態において、ユーザが次にタッチした位置に対応する（タッチした位置の横の）メニュー項目が選択されても良い。
【００７７】
次に、情報処理装置は、図４における（３）の領域のタッチを検知した場合、音量調節であると判断する。そして、図６の６０１の手に示すように、ユーザが図４の（３）の領域を下から上に指をスライドさせると、ボリュームが大きくなる。そして、ユーザが図４の（３）の領域を上から下に指をスライドさせると、ボリュームが小さくなる。具体的には、情報処理装置が検知した座標の時系列データを図７に示す。図７には、取得した位置座標と、対応するボリュームの上昇する度合いが記載されている。情報処理装置は、定期的にかつ常時、位置座標を取得する。そして、その時系列データが図７の表の「座標」である。図７の４つの「座標」の値から、指のタッチが、音量調節の領域を下から上に移動した、と判断できる。
【００７８】
なお、画面上の座標を図８に示す。ｘ軸は０から５１２、ｙ軸は０から４８０の範囲をとる。そして、図４および図８の領域（２）の中で、（２０，４５０）から（２０，４３０）を指が移動したことを、図８の矢印は示す。
【００７９】
そして、移動したｙ座標値分、情報処理装置は、ボリュームをアップ、ダウンさせるとする。図７によれば、情報処理装置は、ボリュームを２０アップさせる、こととなる。
【００８０】
次に、情報処理装置は、図４の（４）の領域のタッチを検知した場合、電源をオンまたはオフする。つまり、現在、電源がオフの場合は電源をオンにし、電源がオンの場合は電源をオフにする。なお、情報処理装置は、待機電流により、タッチセンサの値を得て電源をオンする等の一定の動作が可能である。なお、図４の（５）は、電源の状態（ＯＮかＳＬＥＥＰか）を示すＬＥＤである。
【００８１】
次に、情報処理装置は、図４の（６）の領域のタッチを検知した場合、機能操作メニューが表示する。この機能操作メニューの情報は、予め情報処理装置が保持している。機能操作メニューが表示された状態を図９に示す。図９によると、テレビ機能が起動中であり、機能操作メニューとして、「キャプチャー」「リスト」「ＰｉｎＰ」のボタンが存在する。そして、各ボタンの真下付近のタッチセンサをタッチすると、当該ボタンが選択されたこととなり、情報処理装置はボタンに対応する動作を行う。なお、「キャプチャー」とは、表示しているテレビ画面のイメージを蓄積する機能である。「リスト」とは、「キャプチャー」した画面イメージのサムネール（データ量を少なくした簡易なイメージ）を表示する機能である。「ＰｉｎＰ」とは、ピクチャー・イン・ピクチャーの略で、ここでは、テレビ画面の中に小さくインターネットブラウザの画面が表示される機能である。
【００８２】
次に、情報処理装置は、図４の（７）の領域のタッチを検知した場合、以下の動作をする。つまり、情報処理装置でテレビ機能が動作している場合は、情報処理装置は、チャネル変更の指示であると判断する。そして、情報処理装置は、最初に図４の（７）の領域のタッチを検知した場合、図１０に示すように、タッチしたあたりの左横側の画面に、チャンネル番号を表示する。図１０では、「１０」チャンネルである。
【００８３】
次に、図６の手６０２のように上から下に指をずらしていくと、情報処理装置は、例えば、図１１に示すような座標を取得する。図１１によれば、「ＩＤ」＝「１」の位置座標を取得した場合に、情報処理装置は、現在のチャンネル番号「１０」を表示し（図１０参照）、図１１の「ＩＤ」＝「２」の位置座標を取得した場合に、表示するチャンネル番号を「８」にする（図１２参照）。そして、同様に、情報処理装置は、図１１の「ＩＤ」＝「４」の位置座標を取得した場合に、表示するチャンネル番号を「４」にする（図１３参照）。そして、ここで、ユーザが指を離した場合に、情報処理装置は、チャンネルをチャンネル番号「４」に切り替える（図１３参照）。
【００８４】
また、情報処理装置は、図４の（７）の領域のタッチを検知し、かつ、情報処理装置はインターネットブラウザを起動中である場合、情報処理装置は、表示中のデータ（ホームページなど）の上下スクロールである、と判断する。
【００８５】
現在、情報処理装置は、図１４に示すホームページを表示中であり、かつ図１１の座標の時系列データを取得したとする。かかる場合、情報処理装置は、図１５に示すように、表示中のホームページを下にスクロールする。図１１によれば、指が上から下にスライドされたからである。
【００８６】
なお、情報処理装置がインターネットブラウザを起動中である場合、情報処理装置は、図１６に示すように、フレームの下部の右側は、左右のスクロールの指示を受け付ける、と判断する。つまり、情報処理装置は、インターネットブラウザを起動中に、図１６に示すように、フレームの下部の右側を左または右方向にタッチされたことを検知した場合、表示中のデータを左または右側にスクロールする。以上より、同じ領域がタッチされ、かつ同じ操作でも、起動している機能（アプリケーション）により、情報処理装置の動作が異なることがわかる。
【００８７】
また、情報処理装置は、図４の（９）の領域のタッチを検知した場合には、図１７のメニュー１７０１が表示される。このメニューは、機能（テレビ、電子メール、インターネットなど）を切り替えるための操作メニューである。
【００８８】
そして、情報処理装置は、図１７のメニュー１７０１が表示されている状態において、図４の（８）の領域のタッチを検知した場合には、その検知した位置座標の横にあるメニュー項目が選択された、と判断する。そして、情報処理装置は、選択されたメニュー項目に対応する機能（アプリケーション）を実行し、当該機能に主画面を切り替える。なお、ユーザが、図１７に示すように、タッチセンサ（フレームの溝）を上下になぞることにより、メニュー項目のフォーカスが移動し、タッチセンサから手を離すことにより機能が選択されても良い。
【００８９】
以上、本実施の形態によれば、フレームにタッチセンサを有し、当該タッチセンサのタッチにより情報処理装置を操作できることにより、近くで画面を見ながら、直感的な操作が可能であり、かつディスプレイを汚すことはない。また、フレームに設けた溝にタッチセンサを設置していることにより、指での操作の誘導が可能であり、非常に操作しやすい。溝にタッチセンサを設ける構造は、一次元的な量の調整を行うテレビやコンピュータのインターフェイスとして特に有効である。また、溝の幅を人間の指先（特に、人差し指または親指）の大きさを考慮した大きさにすることにより、さらに操作の快適さ、操作のしやすさが増大する。また、同一のタッチセンサの領域で、同一の操作をした場合でも、立ち上がっている機能（アプリケーション）により、情報処理装置の動作が異なるので、狭い操作領域を有効に利用しつつ、直感的な操作が可能である。さらに、使用頻度により、操作領域に対応する機能、動作を設計しているので、非常に操作しやすい。つまり、使用頻度を考慮して、領域と機能を対応付けることにより、狭いながらも広範囲に広がったフレームの構造を有効に利用した操作が可能である。具体的には、良く利用するチャンネル変更や画面スクロールなどの操作は、フレームの右下の領域が対応し、あまり利用しない初期設定や機能設定などは、フレームの左上の領域が対応する。かかる領域の設計により、割合が多い右利きのユーザにとって便利である。
【００９０】
なお、本実施の形態によれば、情報処理装置の外観図は、図１８に示すようなものでも良い。図１８の（ａ）は情報処理装置の正面図、（ｂ）は上面図、（ｃ）は下面図、（ｄ）は左側面図、（ｅ）は右側面図である。図１８の（ａ）正面図のフレームの側面の中央には、スピーカーが設置されている。また、図１８の（ｄ）、（ｅ）の上部もスピーカーである。
【００９１】
さらに、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。
【発明の効果】
以上のように、本発明によれば、非常に直感的で、操作しやすい情報処理装置が提供できる。
【図面の簡単な説明】
【図１】実施の形態における情報処理装置の外観を示す図
【図２】実施の形態における情報処理装置のブロック図
【図３】実施の形態における情報処理装置の動作について説明するフローチャート
【図４】実施の形態におけるタッチセンサが設置された領域の動作の関連を示す図
【図５】実施の形態操作メニューを示す図
【図６】実施の形態における操作を説明する図
【図７】実施の形態における検知した座標の時系列データを示す図
【図８】実施の形態におけるフレームの座標を示す図
【図９】実施の形態における機能操作メニューを示す図
【図１０】実施の形態におけるチャンネル番号の表示例を示す図
【図１１】実施の形態における検知した座標の時系列データを示す図
【図１２】実施の形態におけるチャンネル番号の表示例を示す図
【図１３】実施の形態におけるチャンネル番号の表示例を示す図
【図１４】実施の形態におけるホームページの表示例を示す図
【図１５】実施の形態におけるスクロール後のホームページの表示例を示す図
【図１６】実施の形態における操作を説明する図
【図１７】実施の形態におけるニューを示す図
【図１８】実施の形態における情報処理装置の外観図
【符号の説明】
１０１  ディスプレイ
１０２  フレーム
１０３  溝
２０１  操作受付部
２０２  操作解釈部
２０３  番組受信部
２０４  番組出力部
２０５  電源切替部
２０６  音量設定部
２０７  チャンネル切替部
２０８  メニュー情報格納部
２０９  メニュー表示部
２１０  機能選択部
２１１  情報設定部
２１２  データ入力受付部
２１３  データ送信部
２１４  サーバアクセス部
２１５  データ格納部
２１６  データ出力部
２１７  画面スクロール部
【図１】
2004213451.tif 000003
【図２】
2004213451.tif 000004
【図３】
2004213451.tif 000005
【図４】
2004213451.tif 000006
【図５】
2004213451.tif 000007
【図６】
2004213451.tif 000008
【図７】
2004213451.tif 000009
【図８】
2004213451.tif 000010
【図９】
2004213451.tif 000011
【図１０】
2004213451.tif 000012
【図１１】
2004213451.tif 000013
【図１２】
2004213451.tif 000014
【図１３】
2004213451.tif 000015
【図１４】
2004213451.tif 000016
【図１５】
2004213451.tif 000017
【図１６】
2004213451.tif 000018
【図１７】
2004213451.tif 000019
【図１８】
2004213451.tif 000020